(57)【要約】【課題】ＬＣＤやＥＶＦのライブビュー表示や動画の記録画像におけるモアレを防止可能な撮像装置、特にオートフォーカス制御時の擬輪郭の発生を防止可能な撮像装置を提供する。【解決手段】デジタルカメラ１Ａは、静止画撮影および動画撮影の両方が可能なデジタルカメラである。デジタルカメラ１Ａには、自動的に合焦を実現するＡＦ機能が搭載されている。デジタルカメラ１Ａにおいては、静止画撮影モードの記録画像は高解像度の画像データであるが、静止画撮影モードのライブビュー画像と、動画撮影モードの記録画像およびライブビュー画像とは、低解像度の画像データとなる。また、デジタルカメラ１Ａでは、高解像度の画像データには輪郭強調用の画像処理が施され、低解像度の画像データには、ＡＦ制御時にモアレ抑制用の画像処理が施される。【選択図】        図４
2004328482.tif 000002
【特許請求の範囲】
【請求項１】
撮像装置であって、
被写体を含む光像を画像データへ変換する撮像手段と、
前記画像データの画像処理を行う画像処理手段と、
前記画像処理手段において第１画像処理を施された記録画像データを記録する記録手段と、
前記画像処理手段において第２画像処理を施された表示画像データを表示する表示手段と、
を備え、
前記画像処理手段は、
前記第１画像処理の空間周波数特性として、第１空間周波数特性を使用するとともに、
前記第２画像処理の空間周波数特性として、前記第１空間周波数特性と異なる第２空間周波数特性を使用可能であることを特徴とする撮像装置。
【請求項２】
請求項１に記載の撮像装置において、
前記撮像手段が、
前記光像を取得する光学系と、
前記光学系のフォーカスレンズを駆動する駆動手段と、
前記画像データの画像情報に基づいて前記駆動手段を制御して、合焦状態を実現できる合焦レンズ位置へ前記フォーカスレンズを移動させるオートフォーカス制御を実行する制御手段と、
を備え、
前記制御手段が前記オートフォーカス制御を実行中に、前記画像処理手段が前記第２画像処理の空間周波数特性として、前記第２空間周波数特性を使用することを特徴とする撮像装置。
【請求項３】
請求項２に記載の撮像装置において、
前記オートフォーカス制御の開始を指示する指示部材をさらに備え、
前記指示部材による指示に応答して前記オートフォーカス制御が開始されることを特徴とする撮像装置。
【請求項４】
請求項１に記載の撮像装置において、
前記画像処理手段が、アパーチャコントロール手段を備え、
空間周波数特性の変更が、前記アパーチャコントロール手段におけるアパーチャ強調度合いの変更によって行われることを特徴とする撮像装置。
【請求項５】
撮像装置であって、
被写体を含む光像を画像データへ変換する撮像手段と、
前記画像データの画像処理を行う画像処理手段と、
前記画像処理手段において第１画像処理を施された記録画像データを記録する記録手段と、
前記画像処理手段において第２画像処理を施された表示画像データを表示する表示手段と、
静止画の撮影を行う静止画撮影モードと、動画の撮影を行う動画撮影モードとの２つの撮影モードを切り替える切り替え手段と、
を備え、
前記画像処理手段は、
撮影モードが前記静止画撮影モードである場合は、
前記第１画像処理の空間周波数特性として、第１空間周波数特性を使用するとともに、
前記第２画像処理の空間周波数特性として、前記第１空間周波数特性と異なる第２空間周波数特性を使用可能であり、
撮影モードが前記動画撮影モードである場合は、
前記第１画像処理および前記第２画像処理の空間周波数特性として、前記第２空間周波数特性を使用することを特徴とする撮像装置。
【発明の詳細な説明】
【０００１】
【発明の属する技術分野】
本発明は、擬輪郭を防止可能な撮像装置に関する。
【０００２】
【従来の技術】
近年の電子技術の発展に伴い、画像データを取得するデジタルカメラが広範に使用されるようになってきている。デジタルカメラには、被写体を含む光像を画像データへ変換する撮像素子として、画像データを構成する画素信号を生成する光電変換セルを規則的に配列したＣＣＤ（Ｃｈａｒｇｅ  Ｃｏｕｐｌｅｄ  Ｄｅｖｉｃｅ）が使用される場合が多い。ＣＣＤによって取得された画像データは、所定の画像処理が施された後に、メモリカード等の記録媒体に記録画像として記録される。
【０００３】
このようなデジタルカメラには、撮影者のフレーミングを容易にするために、液晶ディスプレイ（ＬＣＤ；Ｌｉｑｕｉｄ  Ｃｒｙｓｔａｌ  Ｄｉｓｐｌａｙ）や電子ビューファインダ（ＥＶＦ；Ｅｌｅｃｔｏｒｏｎｉｃ  Ｖｉｅｗ  Ｆｉｎｄｅｒ）がファインダとして搭載されることが多い。ＬＣＤやＥＶＦには、ＣＣＤによって取得された画像データが所定の時間間隔で更新されながらライブビュー表示される。しかし、記録画像の高精細化のためにデジタルカメラに高画素数のＣＣＤを搭載した場合、ライブビュー表示時に記録画像と同様にＣＣＤの全画素から画素信号を読み出すのでは、画素信号の読み出しおよび画像処理に長時間が必要となるので、ＬＣＤやＥＶＦのファインダとしての機能が損なわれることになる。そこで、ＬＣＤやＥＶＦにライブビュー表示を行う場合は、ＣＣＤの全画素ではなく、全画素から所定方法で間引きをした画素を使用して画像データが生成される。
【０００４】
また、静止画および動画の両方を撮影できるように構成されたデジタルカメラにおいても、一定のフレームレートを確保するために、動画撮影時には、ＣＣＤの全画素ではなく、全画素から所定方法で間引きをした画素を使用して画像データが生成されることが多い。
【０００５】
一方、ＣＣＤのように画素が離散的（非連続的）に配列されたエリアセンサで光像のサンプリングを行う場合、使用される画素のピッチから決まるナイキスト限界周波数よりも高い空間周波数成分が光像に含まれていると、取得した画像にモアレが発生する。このモアレは、デジタルカメラの光学系が合焦状態に近い場合（ＣＣＤに結像する光像の高周波成分が極大となる場合）に、被写体の輪郭部分に擬輪郭（擬色、色モアレ）の形で特に明確に現れる。この擬輪郭は、撮影者の撮影を支援する機能としてデジタルカメラに搭載されるオートフォーカス機能によりフォーカスレンズが合焦レンズ位置をまたいで駆動されると、発生するので、特に見苦しさが目立つことになる。
【０００６】
このモアレを抑制するために、ナイキスト限界周波数以上の高周波成分を遮断する光学ローパスフィルタがＣＣＤの前面に設けられることが多い。あるいは、特許文献１のように、画像処理やフォーカスレンズ位置の制御により、モアレを抑制する技術も知られている。
【０００７】
【特許文献１】
特開平１０−２７６３５０
【０００８】
【発明が解決しようとする課題】
しかし、これらの技術は、モアレの抑制には有効であるものの、上述した画素の間引きは考慮していない。このため、画素の間引き（実際に使用される画素ピッチの増加）によってナイキスト限界周波数が低下した場合はモアレを抑制することができない。すなわち、従来の技術では、ＬＣＤやＥＶＦのライブビュー表示画像や動画の記録画像などの解像度を低下させた画像においてモアレが発生するという問題があった。特に、デジタルカメラがオートフォーカス（ＡＦ；Ａｕｔｏ  Ｆｏｃｕｓ）制御を行う場合は、フォーカスレンズ駆動時に、ライブビュー表示や動画の記録画像において擬輪郭が発生することがあり、撮影者や動画の閲覧者に違和感を与えるという問題があった。
【０００９】
あるいは、画素の間引きを行った場合のモアレを抑制するため、光学ローパスフィルタが遮断する高周波成分の下限を低下させると、全画素を使用して取得した画像のシャープさを損なうという問題があった。
【００１０】
本発明はこれらの問題を解決するためになされたもので、ＬＣＤやＥＶＦのライブビュー表示や動画の記録画像におけるモアレを防止可能な撮像装置、特にオートフォーカス制御時の擬輪郭の発生を防止可能な撮像装置を提供することを目的とする。
【００１１】
【課題を解決するための手段】
上記課題を解決するため、請求項１の発明は、撮像装置であって、被写体を含む光像を画像データへ変換する撮像手段と、前記画像データの画像処理を行う画像処理手段と、前記画像処理手段において第１画像処理を施された記録画像データを記録する記録手段と、前記画像処理手段において第２画像処理を施された表示画像データを表示する表示手段とを備え、前記画像処理手段は、前記第１画像処理の空間周波数特性として、第１空間周波数特性を使用するとともに、前記第２画像処理の空間周波数特性として、前記第１空間周波数特性と異なる第２空間周波数特性を使用可能であることを特徴とする。
【００１２】
また、請求項２の発明は、請求項１に記載の撮像装置において、前記撮像手段が、前記光像を取得する光学系と、前記光学系のフォーカスレンズを駆動する駆動手段と、前記画像データの画像情報に基づいて前記駆動手段を制御して、合焦状態を実現できる合焦レンズ位置へ前記フォーカスレンズを移動させるオートフォーカス制御を実行する制御手段とを備え、前記制御手段が前記オートフォーカス制御を実行中に、前記画像処理手段が前記第２画像処理の空間周波数特性として、前記第２空間周波数特性を使用することを特徴とする。
【００１３】
また、請求項３の発明は、請求項２に記載の撮像装置において、前記オートフォーカス制御の開始を指示する指示部材をさらに備え、前記指示部材による指示に応答して前記オートフォーカス制御が開始されることを特徴とする。
【００１４】
また、請求項４の発明は、請求項１に記載の撮像装置において、前記画像処理手段が、アパーチャコントロール手段を備え、空間周波数特性の変更が、前記アパーチャコントロール手段におけるアパーチャ強調度合いの変更によって行われることを特徴とする。
【００１５】
また、請求項５の発明は、撮像装置であって、被写体を含む光像を画像データへ変換する撮像手段と、前記画像データの画像処理を行う画像処理手段と、前記画像処理手段において第１画像処理を施された記録画像データを記録する記録手段と、前記画像処理手段において第２画像処理を施された表示画像データを表示する表示手段と、静止画の撮影を行う静止画撮影モードと、動画の撮影を行う動画撮影モードとの２つの撮影モードを切り替える切り替え手段とを備え、前記画像処理手段は、撮影モードが前記静止画撮影モードである場合は、前記第１画像処理の空間周波数特性として、第１空間周波数特性を使用するとともに、前記第２画像処理の空間周波数特性として、前記第１空間周波数特性と異なる第２空間周波数特性を使用可能であり、撮影モードが前記動画撮影モードである場合は、前記第１画像処理および前記第２画像処理の空間周波数特性として、前記第２空間周波数特性を使用することを特徴とする。
【００１６】
【発明の実施の形態】
＜第１実施形態＞
第１実施形態に係るデジタルカメラ１Ａは、静止画撮影および動画撮影の両方が可能なデジタルカメラである。デジタルカメラ１Ａには、自動的に合焦を実現するＡＦ機能が搭載されている。以下では、デジタルカメラ１Ａの構成および動作について図１〜図１６を参照しながら説明する。
【００１７】
＜デジタルカメラ１Ａの外観構成＞
デジタルカメラ１Ａの外観構成を図１および図２を参照しながら説明する。図１は、デジタルカメラ１Ａを斜め前方から見た斜視図である。図２は、デジタルカメラ１Ａを後方から見た背面図である。
【００１８】
デジタルカメラ１Ａの前面には、撮影レンズ２とファインダ対物窓３ａとが設けられている。また、デジタルカメラ１Ａの内部には、撮影レンズ２によって結像された光像を画像信号へ光電変換するＣＣＤ（撮像素子）４が設けられている。ＣＣＤ４には、たとえば、横１６００×縦１２００画素の合計１９２万画素の光電変換セルがマトリクス状に配列されている。当該光電変換セルの表面には、Ｒ（赤），Ｇ（緑），Ｂ（青）の原色透過フィルタが、図３に示すようなベイヤー方式で配列された色フィルタアレイが設けられている。そして、各光電変換セルは、Ｒ，Ｇ，Ｂの色成分のいずれかに対応する画素信号を出力可能である。撮影レンズ２は、光軸方向に駆動可能なフォーカスレンズを含んでいる。デジタルカメラ１Ａでは、当該フォーカスレンズを光軸方向に駆動することにより、ＣＣＤ４に結像される光像の合焦状態を変化させることが可能である。
【００１９】
デジタルカメラ１Ａの上面には、シャッタボタン５と撮影モード切り替えスイッチ６とが設けられている。シャッタボタン５は、ＡＦ制御の開始のトリガーとなる半押し状態（以下では、Ｓ１ＯＮ状態と呼ぶ）と、本撮影開始のトリガーとなる全押し状態（以下では、Ｓ２ＯＮ状態と呼ぶ）とを判別可能な押しボタンスイッチである。撮影モード切り替えスイッチ６は、２ポジションのスライドスイッチであり、ノブ６ａの位置を変化させることによって、デジタルカメラ１Ａの撮影モードを、静止画を撮影する「静止画撮影モード」と動画を撮影する「動画撮影モード」との間で切り替えることが可能である。
【００２０】
デジタルカメラ１Ａの内部には、撮影によって得られた画像データを記録するメモリカードを装着するメモリカードスロットと、メモリカードスロットからメモリカードを排出するインジェクト機構が設けられている（不図示）。当該メモリカードスロットへのメモリカード挿抜口となるメモリカード取り出し口７が、デジタルカメラ１Ａの側面に設けられている。さらに、デジタルカメラ１Ａの側面には、メモリカード取り出しボタン８が設けられている。メモリカード取り出しボタン８は、当該インジェクト機構と接続されている。そして、デジタルカメラ１Ａの撮影者は、メモリカード取り出しボタン８を押し込むことにより、メモリカードスロットに装着されたメモリカードを取り出し可能である。
【００２１】
デジタルカメラ１Ａの背面には、ファインダ接眼窓３ｂと液晶ディスプレイ９と設定キー群１０とが設けられている。液晶ディスプレイ９は、たとえば、横４００×縦３００画素の解像度を有するカラーディスプレイである。液晶ディスプレイ９には、ＣＣＤ４によって取得された画像データが所定時間間隔で更新されながらライブビュー表示される。そして、撮影者はこのライブビュー表示を参照しながらフレーミングを行う。すなわち、液晶ディスプレイ９は、ファインダとしての機能を有している。
【００２２】
＜デジタルカメラ１Ａの機能構成＞
デジタルカメラ１Ａの機能構成を図４の概略機能ブロック図を参照しながら説明する。
【００２３】
デジタルカメラ１Ａは、以下で説明する各ブロックを統括制御する全体制御部１１０を備える。全体制御部１１０は、ＣＰＵ１１１，ＲＯＭ１１２，ＲＡＭ１１３を備えるマイクロコンピュータであり、ＲＯＭ１１２にはＣＰＵ１１１の動作を規定するプログラムがインストールされている。ＲＯＭ１１２には、当該プログラム以外にも、デジタルカメラ１Ａの動作に必要な各種のパラメータやテーブルが格納されている。なお、図４の全体制御部１１０には、当該マイクロコンピュータによって実現される機能が、ＡＦ制御部１１４、間引き処理指示部１１５、モアレ制御部１１６として模式的に表現されている。これらの機能サブブロックの具体的機能は後述する。
【００２４】
被写体を含む光像を取得する撮影レンズ２が備えるＡＦモータ２ｂは、ＡＦ制御部１１４から入力される制御信号に基づいてフォーカスレンズ２ａを駆動し、フォーカスレンズ位置（以下では、レンズ位置と呼ぶ）を移動可能に構成されている。
【００２５】
ＣＣＤ４は、全体制御部１１０から入力される基準クロックに基づいて撮像を行う。
【００２６】
撮像によってＣＣＤ４に蓄積された電荷は、読み出し部１０１によって画像信号として読み出される。読み出し部１０１は、
（ａ）ＣＣＤ４の全画素の電荷を読み出す全画素読み出しモードと、
（ｂ）ＣＣＤ４の全画素から縦方向に１／４の間引きをした画素の電荷を読み出す間引き読み出しモードと、
の２つの読み出しモードを有する。そして、間引き処理指示部１１５から間引き開始信号が入力されると、読み出し部１０１の読み出しモードは間引き読み出しモードとなり、間引き停止信号が入力されると読み出しモードは全画素読み出しモードとなる。ここで、間引き読み出しモードで読み出される画素は、図５に示すように、ベイヤー配列の８ｎ，８ｎ＋３（ｎは整数）ライン目の画素である。この間引き処理により、画像信号の縦方向の画素数は３００画素となり、液晶ディスプレイ９の縦方向の画素数と一致する。なお、この間引き処理によっても色成分のベイヤー配列は維持される。
【００２７】
読み出し部１０１によって読み出された画像信号は、Ａ／Ｄ変換部１０２でデジタル画像信号に変換され、画像データとして画像処理部１０３へ出力される。
【００２８】
画像処理部１０３は、入力された画像データに、横方向の１／４の間引き、色補間、空間周波数特性の調整等の画像処理を行う。この画像処理の処理特性は、間引き処理指示部１１５から入力される間引き開始信号および間引き停止信号と、モアレ制御部１１６から入力されるレベル変換テーブル（後述）とに基づいて変化する。画像処理部１０３の詳細な構成は後述する。
【００２９】
画像処理部１０３で画像処理が施された画像データは、ビデオメモリ１０４に一時的に格納される。全体制御部１１０は、ビデオメモリ１０４に格納された画像データを、ライブビュー画像データとして液晶画面表示部１０６に転送するとともに、本撮影時には記録画像データとしてメモリカード１０５へ転送する。
【００３０】
液晶画面表示部１０６は、ライブビュー画像データを液晶ディスプレイ９に視認可能に表示するためのインターフェースである。
【００３１】
また、全体制御部１１０には、先述したシャッタボタン５、撮影モード切り替えスイッチ６、設定キー群１０が接続されている。そして、全体制御部１１０は、これらの操作部材の状態を検出して、デジタルカメラ１Ａの動作に反映させる。
【００３２】
全体制御部１１０の機能サブブロックであるＡＦ制御部１１４は、ＣＣＤ４によって取得された画像データから画像のコントラスト値Ｃを算出して、当該コントラスト値Ｃが最大となる合焦レンズ位置ＦＰへフォーカスレンズ２ａを駆動するための制御信号をＡＦモータ２ｂへ出力する。
【００３３】
間引き処理指示部１１５は、静止画撮影モードの記録画像データ取得時には間引き停止信号を出力する。一方、静止画撮影モードのライブビュー画像データ取得時および動画撮影モードにおいては、間引き開始信号を出力する。これにより、静止画撮影モードの記録画像は、間引き処理がなされない高解像度（横１６００×縦１２００画素）の画像となる。一方、静止画撮影モードのライブビュー画像および動画撮影モードのライブビュー画像および記録画像は、縦横両方向に間引き処理がなされた低解像度（横４００×縦３００画素）の画像となる。このような間引き処理方法の切り替えによって、略リアルタイムの処理が必要なライブビュー画像および動画撮影モードの記録画像では解像度を低下させて高速な画像処理を行うとともに、高精細な画像が求められる静止画撮影モードの記録画像では高解像度を維持したまま画像処理を行うことができる。
【００３４】
モアレ制御部１１６は、ＲＯＭ１１２に格納されたレベル変換テーブルを読み出して、画像処理部１０３へ出力する。ＲＯＭ１１２には、輪郭強調用のレベル変換テーブルＴＡ１と、モアレ抑制用のレベル変換テーブルＴＡ２との２種類のレベル変換テーブルが格納されている。モアレ制御部１１６は、間引き処理を実行中にモアレ抑制が必要な場合、モアレ抑制用のレベル変換テーブルＴＡ２をＲＯＭ１１２から読み出して画像処理部１０３へ出力する。一方、モアレ抑制が不要な場合は、輪郭強調用のレベル変換テーブルＴＡ１をＲＯＭ１１２から読み出して画像処理部１０３へ出力する。これにより、画像処理部１０３では、モアレ抑制の要否に応じて適切な画像処理が行われることになる。ここで、輪郭強調用のレベル変換テーブルＴＡ１は、モアレ抑制用のレベル変換テーブルＴＡ２よりもゲインが高くなるように設定されている。
【００３５】
＜画像処理部１０３の機能構成＞
上述の画像処理部１０３の機能構成を、図６の機能ブロック図を参照しながら説明する。また、図６の機能ブロック図の各サブブロック間で入出力される画像データＩＭ３〜ＩＭ６の画素データの変化を図７〜図１０に概念的に示す。図７〜図１０は、横方向が画素の位置に、縦方向が画素データに対応している。そして、画素の位置による画素データの変化が波形として表現されている。なお、画素の位置は離散的（非連続的）な値を取るが、図７〜図１０の波形では、画素データは便宜的に画素位置の連続関数として表現されている。また、画素は２次元の平面に配列されているが、図７〜図１０の波形では、画素は便宜的に１次元に配列されたものとして扱われている。
【００３６】
○間引き部１２１；
画像処理部１０３には、間引き処理指示部１１５から入力される間引き開始信号に応答して、入力された画像データＩＭ１の間引きを行う間引き部１２１が設けられている。間引き部１２１の間引きは、入力された画像データＩＭ１を、横方向に１／４の間引きをすることにより行う。より具体的には、この間引きは、図１１に示すように、画像データＩＭ１の８ｎ、８ｎ＋３（ｎは整数）ライン目を抽出することにより行われる。そして、この間引きによっても、色成分のベイヤー配列は維持される。なお、間引き部１２１で横方向の間引きが行われる場合は、読み出し部１０１でも縦方向の間引きが行われているので、入力される画像データＩＭ１の解像度は横１６００×縦３００画素であり、出力される画像データＩＭ２の解像度は、横４００×縦３００画素となる。
【００３７】
一方、間引き処理指示部１１５から間引き停止信号が入力されると、読み出し部１０１および間引き部１２１の両方で間引き処理が停止されるので、入力される画像データＩＭ１および出力される画像データＩＭ２の解像度は、横１６００×縦１２００画素となる。
【００３８】
このように間引き処理が行われた画像データＩＭ２は、補間部１２２へ出力される。
【００３９】
なお、読み出し部１０１と間引き部１２１における、このような間引き処理により、デジタルカメラ１Ａが正常にサンプリング可能なナイキスト限界周波数は、間引き処理を行わない場合の１／３となる。このため、間引き処理時には、ＣＣＤ４の前面に光学ローパスフィルタを設置していても、ナイキスト限界周波数以上の空間周波数成分が光像に含まれることになってしまう。
【００４０】
○補間部１２２；
補間部１２２は、間引き部１２１から入力された画像データＩＭ２の色情報を補間する。画像データＩＭ２を構成する画素データＩＭ２（ｉ，ｊ）の各々は、Ｒ，Ｇ，Ｂのいずれか１つの色成分の画素データのみを含んでいる。ここで、インデックスｉ，ｊは、それぞれ、画素の横方向および縦方向の位置を示すインデックスである。補間部１２２は、各々の画素データＩＭ２（ｉ，ｊ）が有していない他の２つの色成分の画素データを周辺画素の画素データの補間によって算出する。この画素データの補間は、たとえば、次のような方法で行われる。
【００４１】
まず、Ｒ，Ｇ，Ｂの色成分の画素データを有する画素を、それぞれの色成分のフィルタパターンでマスクする。そして、Ｒ，Ｇ，Ｂの色成分の画素データが別々に算出される。Ｇの色成分の画素データは、注目している画素の周辺の４画素の画素データの中間値をメディアンフィルタで抽出することにより算出される。一方、Ｒ，Ｂの色成分の画素データは、注目している画素の周辺の４画素の画素データの平均値として算出される。
【００４２】
このようにして、各画素データＩＭ２（ｉ，ｊ）は、Ｒ，Ｇ，Ｂの３つの色成分の画素データを含むことになる。この補間処理が行われた画像データＩＭ３（図７）は、微分器１２３および加算器１２４へ出力される。
【００４３】
○微分器１２３；
微分器１２３では、補間部１２２から入力された画像データＩＭ３に微分操作を行って、画像データＩＭ４（図８）を出力する。画像データＩＭ４を構成する画素データＩＭ４（ｉ，ｊ）は、式１で算出される
【００４４】
【数１】
2004328482.tif 000003
【００４５】
式１は、画素データＩＭ３（ｉ，ｊ）の画素位置による変化を抽出する画像処理であるから、図７の波形で表現される画像データＩＭ３は、図８の波形で表現される画像データＩＭ４へ変換される。図７〜図８から明らかなように、微分操作により、画素データＩＭ３（ｉ，ｊ）が急激に変化する位置Ａ，Ａ’で、画素データＩＭ４（ｉ，ｊ）は大きな絶対値を取る。位置Ａ，Ａ’は、実際の画像では輪郭部に相当するから、微分操作により、画像データＩＭ３のアパーチャ成分が抽出されたことになる。すなわち、微分操作により、画像データＩＭ３の空間周波数の高周波成分が抽出されたことになる。
【００４６】
なお、微分器１２３で行われる画像処理は、式１で表現される処理には制限されない。たとえば、ラプラシアン等のような画素データＩＭ３（ｉ，ｊ）の変化を抽出する空間フィルタ処理を使用可能である。
【００４７】
○レベル変換部１２５；
レベル変換部１２５は、微分器１２３から入力された画像データＩＭ４のレベル変換を行い、画像データＩＭ５（図９）を加算器１２４へ出力する。レベル変換は、モアレ制御部１１６から入力されるレベル変換テーブルＴＡ１，ＴＡ２を用いて行われる。レベル変換テーブルＴＡ１，ＴＡ２には、それぞれ、画素データＩＭ４（ｉ，ｊ）と、画像データＩＭ５を構成する画素データＩＭ５（ｉ，ｊ）との関係が定義されている。なお、輪郭強調用のレベル変換テーブルＴＡ１は、モアレ抑制用のレベル変換テーブルＴＡ２よりもゲインが大きくなるように設定されているので、同じレベルの画像データＩＭ４がレベル変換部１２５に入力されると、レベル変換テーブルＴＡ２が適用された場合よりも、レベル変換テーブルＴＡ１が適用された場合の方が、出力される画像データＩＭ５のレベルは大きくなる。
【００４８】
○加算器１２４；
加算器１２４は、画像データＩＭ５を、画像データＩＭ３に加算して、画像データＩＭ６（図１０）を出力する。画像データＩＭ５は、画像データＩＭ３のアパーチャ成分であるから、この加算処理により、画像データＩＭ３の輪郭強調がなされる。すなわち、画像データＩＭ３の空間周波数の高周波成分が強調されたことになる。図１０の波形においては、この輪郭強調が、位置Ａ，Ａ’で画素データＩＭ６（ｉ，ｊ）のレベルが急激に大きくなっているという形で表現されている。一方、輪郭部は、擬輪郭が発生する位置でもあるから、このような輪郭強調により擬輪郭も強調されることになる。そこで、擬輪郭を抑制する必要がある場合には、先述したモアレ抑制用のレベル変換テーブルＴＡ２をレベル変換部１２５で用いて、加算器１２４に入力される画像データＩＭ５（アパーチャ成分）のレベルを低下させる。これにより、輪郭強調のレベルを低下させて、擬輪郭を抑制することができる。換言すれば、デジタルカメラ１Ａでは、空間周波数の高周波成分のレベルを低下させることにより、擬輪郭の抑制が行われる。さらに換言すれば、デジタルカメラ１Ａが正常にサンプリングできないナイキスト限界周波数以上の高周波成分の含有量を減らすことにより、擬輪郭、一般的にはモアレの抑制が行われる。
【００４９】
＜デジタルカメラ１Ａの動作＞
デジタルカメラ１Ａは、撮影モード切り替えスイッチ６のノブ６ａの位置に応じて、静止画および動画のいずれかを撮影可能である。また、デジタルカメラ１Ａにおいては、静止画撮影モードの記録画像は高解像度（横１６００×縦１２００画素）の画像データであるが、静止画撮影モードのライブビュー画像と、動画撮影モードの記録画像およびライブビュー画像とは、低解像度（横４００×縦３００画素）の画像データとなる。また、デジタルカメラ１Ａでは、高解像度の画像データには輪郭強調用の画像処理が施され、低解像度の画像データには、ＡＦ制御時にモアレ抑制用の画像処理が施される。換言すれば、高解像度の画像データの画像処理の場合はレベル変換部１２５で輪郭強調用のレベル変換テーブルＴＡ１が画像データに適用され、低解像度の画像データの画像処理の場合はＡＦ制御時にレベル変換部１２５でモアレ抑制用のレベル変換テーブルＴＡ２が画像データに適用される。
【００５０】
以下では、このデジタルカメラ１Ａの動作について、図１２、図１４〜図１６のフローチャートを参照しながら説明する。
【００５１】
○ワンショットＡＦ制御；
デジタルカメラ１Ａの全体動作の説明に先だって、デジタルカメラ１Ａで使用されるワンショットＡＦ制御（サブルーチン）について説明する。
【００５２】
デジタルカメラ１Ａでは、ＣＣＤ４によって取得された画像データから算出されるコントラスト値Ｃを極大とする合焦レンズ位置ＦＰへフォーカスレンズ２ａを駆動するワンショットＡＦ制御がＡＦ制御部１１４で行われる。換言すれば、レンズ位置Ｐを変化させながら画像データのコントラスト値Ｃを評価し、コントラスト値Ｃが大きくなる方向へフォーカスレンズ２ａを駆動することによって合焦を実現する山登りサーボ（フィードバック制御）がＡＦ制御部１１４で行われる。そして、山登りサーボにおいては、コントラスト値Ｃの極大を検出するため、フォーカスレンズ２ａが合焦位置ＦＰをまたいで駆動されることになる。このようなフォーカスレンズ２ａの駆動が行われるために、低解像度の画像データに対してモアレ抑制に適した画像処理を行わない場合、ＡＦ制御時に擬輪郭が発生することになる。以下では、このワンショットＡＦ制御の具体的内容を図１２のフローチャートおよび図１３のグラフを参照しながら説明する。
【００５３】
図１３は、レンズ位置Ｐによるコントラスト値Ｃの変化を示すグラフである。図１３のグラフにおいては、横軸がレンズ位置Ｐ、縦軸がコントラスト値Ｃとなっている。レンズ位置Ｐは、値が小さい側が近側、値が大きい側が遠側に対応している。そして、図１３のグラフにおいては、合焦レンズ位置ＦＰでコントラスト値Ｃが極大となることが示されている。なお、図１３のグラフは、山登りサーボにおけるレンズ位置Ｐの移動を定性的に説明するためのグラフであるので、グラフ上の座標がレンズ位置Ｐを定量的に反映しているとは限らない。
【００５４】
ワンショットＡＦ制御の最初のステップＳ１０１では、レンズ位置Ｐの初期化が行われる。すなわち、ＡＦ制御部１１４は、ＡＦモータ２ｂに制御信号を出力して、現在のレンズ位置から初期レンズ位置ＩＰへとフォーカスレンズ２ａを駆動する。初期レンズ位置ＩＰは、あらかじめ定められたレンズ位置であるので、ワンショットＡＦ制御においては過去のレンズ位置が考慮されることなく、フォーカスレンズ２ａの駆動が行われることになる。初期レンズ位置ＩＰへのフォーカスレンズ２ａの駆動が終了後、次のステップＳ１０２が実行される。
【００５５】
ステップＳ１０２では、ステップＳ１０３で実行される高速スキャンにおけるフォーカスレンズ２ａの駆動方向判定が行われる。具体的には、ＡＦ制御部１１４は、ＡＦモータ２ｂに制御信号を出力して、フォーカスレンズ２ａを初期レンズ位置ＩＰからピッチｐ１（たとえば、ｐ１＝１２Ｆδ；Ｆは撮影レンズ２のＦナンバであり、δは許容錯乱円である）だけ近側のレンズ位置ＩＰ’へ駆動する。さらに、ＡＦ制御部１１４は、レンズ位置ＩＰ，ＩＰ’におけるコントラスト値ＣＩＰ，ＣＩＰ’を算出する。さらに、ＡＦ制御部１１４は、コントラスト値ＣＩＰ，ＣＩＰ’の大小関係を判定し、コントラスト値Ｃが増加するフォーカスレンズ２ａの駆動方向を特定する。この駆動方向が高速スキャンにおけるフォーカスレンズ２ａの駆動方向ＤＤとなる。図１３のグラフの例では、初期レンズ位置ＩＰよりも遠側でコントラスト値Ｃが増加するので、遠側へ向かう方向が駆動方向ＤＤとなる。コントラスト値Ｃが極大となるレンズ位置Ｐが合焦レンズ位置ＦＰであるので、駆動方向ＤＤは、フォーカスレンズ２ａを合焦レンズ位置ＦＰへ近づける駆動方向となる。
【００５６】
ステップＳ１０２に続くステップＳ１０３では、フォーカスレンズ２ａの高速スキャンが実行される。すなわち、ＡＦ制御部１１４は、ＡＦモータ２ｂに制御信号を出力して、駆動方向ＤＤへピッチｐ１だけフォーカスレンズ２ａを駆動する。さらに、ＡＦ制御部１１４は、フォーカスレンズ２ａの駆動前後のコントラスト値Ｃを算出して大小関係を判定する。そして、駆動によりコントラスト値Ｃが減少した場合は、ＡＦ制御部１１４は高速スキャンを終了して、次のステップＳ１０４の実行へ移行する。駆動によりコントラスト値Ｃが増加した場合は、ＡＦ制御部１１４は再びステップＳ１０３を実行する。これにより、駆動によりコントラスト値Ｃが減少するまで、高速スキャン、すなわち、駆動方向ＤＤへのフォーカスレンズ２ａの駆動が継続される。そして、フォーカスレンズ２ａが、コントラスト値Ｃが極大となるレンズ位置ＦＰを越えてレンズ位置ＰＡ１へ至ると、ステップＳ１０３の繰り返しが終了して、次のステップＳ１０４が実行される。
【００５７】
ステップＳ１０４では、フォーカスレンズ２ａの駆動方向ＤＤが反転される。そして、レンズ位置Ｐ１からピッチｐ１だけ離れたレンズ位置ＰＡ２へフォーカスレンズ２ａが戻し駆動される。これにより、合焦レンズ位置ＦＰの近傍で、合焦レンズ位置ＦＰより初期レンズ位置ＩＰに近い側（図１３では近側）にフォーカスレンズ２ａが駆動されたことになる。戻し駆動終了後、次のステップＳ１０５が実行される。
【００５８】
ステップＳ１０３〜Ｓ１０４でフォーカスレンズ２ａは合焦レンズ位置ＦＰの近傍に移動させられているので、ステップＳ１０５では、ＡＦ制御部１１４は、ピッチｐ１より微小なピッチｐ２（たとえば、ｐ２＝４Ｆδ）ずつフォーカスレンズ２ａを駆動して、フォーカスレンズ２ａを合焦レンズ位置ＦＰへより近づける低速スキャンを実行する。すなわち、ステップＳ１０５では、ＡＦ制御部１１４は、フォーカスレンズ２ａの駆動ピッチをピッチｐ１からピッチｐ２へ小さくして、ステップＳ１０３と同様のフォーカスレンズ２ａの駆動を行う。ステップＳ１０３と同様に、駆動によりコントラスト値Ｃが減少した場合は、ＡＦ制御部１１４は低速スキャンを終了して、次のステップＳ１０６の実行へ移行する。すなわち、フォーカスレンズ２ａが、レンズ位置ＦＰを越えてレンズ位置ＰＡ３へ至ると、ステップＳ１０５の繰り返しが終了して、次のステップＳ１０６が実行される。駆動によりコントラスト値Ｃが増加した場合は、再びステップＳ１０５が実行される。なお、ステップＳ１０５の低速スキャンで取得されるコントラスト値Ｃとレンズ位置ＰはＲＡＭ１１３に一時的に格納される。そして、ステップＳ１０６で合焦レンズ位置ＦＰを算出するために用いられる。
【００５９】
ステップＳ１０６では、レンズ位置ＰＡ３，レンズ位置ＰＡ３からピッチｐ２だけ近側のレンズ位置ＰＡ４およびレンズ位置ＰＡ４からピッチｐ２だけ近側のレンズ位置ＰＡ５と、レンズ位置ＰＡ３〜ＰＡ５におけるコントラスト値Ｃ３〜Ｃ５から、補間により合焦レンズ位置ＦＰが算出される。すなわち、合焦レンズ位置ＦＰ近傍の３つのレンズ位置ＰＡ３〜ＰＡ５におけるコントラスト値Ｃ３〜Ｃ５から、コントラスト値Ｃが極大となる合焦レンズ位置ＦＰが、式２を用いて算出される。式２では、コントラスト値Ｃがレンズ位置Ｐの２次関数であらわされると仮定している。
【００６０】
【数２】
2004328482.tif 000004
【００６１】
そして、ＡＦ制御部１１４は、算出された合焦レンズ位置ＦＰへフォーカスレンズ２ａを駆動し、フォーカスレンズ２ａをその位置へ固定する。この固定された状態を以下ではフォーカスロックと呼ぶ。
【００６２】
ステップＳ１０６に続くステップＳ１０７では、合焦レンズ位置ＦＰにおけるコントラスト値ＣがＲＡＭ１１３に格納される。そして、ワンショットＡＦ制御が終了する。
【００６３】
○デジタルカメラ１Ａの全体動作；
続いて、デジタルカメラ１Ａの全体動作を図１４のフローチャートを参照しながら説明する。
【００６４】
デジタルカメラ１Ａの動作フローの最初のステップＳ２０１では、間引き開始信号が、間引き処理指示部１１５から読み出し部１０１および間引き部１２１へ出力される。これにより、ＣＣＤ４によって取得された画像データは、縦３００×横４００画素の低解像度の画像データとして液晶ディスプレイ９にライブビュー表示されるようになる。さらに、モアレ抑制処理指示部１１６が、輪郭強調用レベル変換テーブルＴＡ１をＲＯＭ１１２から読み出してレベル変換部１２５へ出力する。
【００６５】
ステップＳ２０１に続くステップＳ２０２では、シャッタボタン５がＳ１ＯＮ状態になったことの検出が全体制御部１１０において行われる。シャッタボタン５がＳ１ＯＮ状態になったことが検出された場合、次のステップＳ２０３が実行される。シャッタボタン５がＳ１ＯＮ状態になったことが検出されない場合、検出されるまでステップＳ２０２が繰り返し実行される。
【００６６】
ステップＳ２０３では、全体制御部１１０において、撮影モード切り替えスイッチ６で設定された撮影モードが特定される。撮影モードが静止画撮影モードである場合、動作フローはステップＳ２０４の静止画撮影サブルーチンへ移行する。一方、撮影モードが動画撮影モードである場合、動作フローはステップＳ２０５の動画撮影サブルーチンへ移行する。
【００６７】
ステップＳ２０４およびＳ２０５は、それぞれ、静止画撮影および動画撮影の動作フローに対応する静止画撮影サブルーチンおよび動画撮影サブルーチンである。これらのサブルーチンの具体的内容は後述する。これらのサブルーチンの終了後、動作フローはステップＳ２０１へ戻る。
【００６８】
○静止画撮影サブルーチン；
上述した静止画撮影サブルーチンの動作フローを図１５のフローチャートを参照しながら説明する。
【００６９】
まず、静止画撮影サブルーチンの最初のステップＳ３０１では、モアレ制御部１１６が、モアレ抑制用のレベル変換テーブルＴＡ２をＲＯＭ１１２から読み出して、レベル変換部１２５へ出力する。これにより、画像処理部１０３ではモアレ抑制に適した空間周波数特性の画像処理が行われることになる。したがって、ステップＳ３０２のワンショットＡＦ制御でフォーカスレンズ２ａが合焦レンズ位置ＦＰをまたいで駆動されても擬輪郭が低解像度のライブビュー表示で目立つことがない。
【００７０】
ステップＳ３０１に続くステップＳ３０２では、上述したワンショットＡＦ制御が実行される。ワンショットＡＦ制御においては、合焦レンズ位置ＦＰをまたいでフォーカスレンズ２ａが駆動されるので、画像処理部１０３がモアレ抑制に適した画像処理を行っていなければ、ライブビュー表示には擬輪郭が発生することになる。しかし、デジタルカメラ１Ａでは、ステップＳ３０１で画像処理部１０３にモアレ抑制に適した画像処理を実行させているので、このようなフォーカスレンズ２ａ駆動を行ってもライブビュー画像で擬輪郭が発生することがない。ワンショットＡＦ制御の終了後、動作フローは次のステップＳ３０３へ移行する。
【００７１】
ステップＳ３０３では、モアレ制御部１１６が、輪郭強調用のレベル変換テーブルＴＡ１をＲＯＭ１１２から読み出して、レベル変換部１２５へ出力する。これにより、画像処理部１０３では輪郭強調に適した空間周波数特性の画像処理が行われることになる。この時点で画像処理の空間周波数特性が変更されるのは、ステップＳ３０２のワンショットＡＦ制御が終了してフォーカスロックとなった後は擬輪郭の発生はおきにくいので、画像処理の輪郭強調度合いをあげて合焦状態であることを明確にすることが望まれるからである。
【００７２】
ステップＳ３０３に続くステップＳ３０４では、シャッタボタン５がＳ２ＯＮ状態になったことの検出が全体制御部１１０において行われる。シャッタボタン５がＳ２ＯＮ状態になったことが検出された場合、次のステップＳ３０５が実行される。シャッタボタンがＳ２ＯＮ状態になったことが検出されない場合、検出されるまでステップＳ３０４が繰り返し実行される。
【００７３】
以降のステップＳ３０５〜Ｓ３１０では、ＣＣＤ４によって取得された画像データを記録画像データとしてメモリカード１０５に記録する本撮影動作がデジタルカメラ１Ａで実行される。
【００７４】
まず、本撮影動作の最初のステップＳ３０５では、間引き停止信号が間引き処理指示部１１５から読み出し部１０１および間引き部１２１へ出力された後、動作フローが次のステップＳ３０６の実行へ移行する。これにより、デジタルカメラ１Ａは、高解像度の画像データを取得可能になる。
【００７５】
ステップＳ３０５に続くステップＳ３０６では、全体制御部１１０から出力される基準クロックに基づいて、ＣＣＤ４において電荷の蓄積すなわち露光が行われ、動作フローは次のステップＳ３０７へ移行する。
【００７６】
ステップＳ３０７では、ステップＳ３０６でＣＣＤ４に蓄積された電荷が読み出し部１０１によって読み出され、動作フローは次のステップＳ３０８へ移行する。このとき、ステップＳ３０５の間引き停止信号によって、読み出し部１０１の読み出しモードは全画素読み出しモードとなっているので、横１６００×縦１２００画素の高解像度の画像データが読み出されることになる。
【００７７】
ステップＳ３０７に続くステップＳ３０８では、ステップＳ３０７で読み出された画像データが、Ａ／Ｄ変換部１０２でデジタル画像データに変換され、画像処理部１０３で画像処理が施される。ここで、画像処理部１０３では、ステップＳ３０５の間引き停止信号によって間引き部１２１での間引き処理が停止されている。さらに、画像処理部１０３では、ステップＳ３０２の輪郭強調用レベル変換テーブルＴＡ１によって輪郭強調に適した空間周波数特性の画像処理が行われている。このため、ステップＳ３０８では、輪郭強調がされた高解像度画像データが画像処理部１０３から出力されることになる。したがって、ステップＳ３０５〜Ｓ３１０で実行される本撮影時には、ＣＣＤ４の精細さを損なっていない処理画像が画像処理部１０３から出力される。
【００７８】
ステップＳ３０８に続くステップＳ３０９では、画像データがビデオメモリ１０４へ一時的に格納される。そして、次のステップＳ３１０では、ビデオメモリ１０４に格納された画像データがメモリカード１０５へ転送され、本撮影動作を終了する。なお、転送時に画像データのＪＰＥＧ圧縮やタグ情報の付加等の処理を行ってもよい。
【００７９】
以上の静止画撮影サブルーチンにより、デジタルカメラ１Ａは高精細の記録画像を取得可能であるとともに、低解像度のライブビュー表示においてＡＦ制御時に擬輪郭が発生することを防止可能である。したがって、フレーミングのためにライブビューを参照している撮影者に違和感を与えることを防止可能である。また、フォーカスロック時にモアレ抑制用の画像処理を停止することにより、合焦状態であることを撮影者に直感的に認識させることが可能である。また、ライブビュー表示画像が低解像度であることにより略リアルタイムの更新が可能となり、撮影者のフレーミングを容易にすることができる。
【００８０】
○動画撮影サブルーチン；
上述した動画撮影サブルーチンの動作フローを図１６のフローチャートを参照しながら説明する。なお、デジタルカメラ１Ａは、パイプライン処理により画像を処理可能である。すなわち、デジタルカメラ１Ａは、１つの画像の処理を完了するまえに、次の画像の処理を開始可能である。このため、図１６のフローチャートにおけるステップＳ４０４〜Ｓ４１２は、１つのフレームで実行される処理の説明であって、対象としている画像データが、異なるフレームでＣＣＤ４によって取得された画像データとなることもある。この点は、各ステップの説明の中で説明する。
【００８１】
まず、動画撮影サブルーチンの最初のステップＳ４０１では、モアレ制御部１１６が、モアレ抑制用のレベル変換テーブルＴＡ２をＲＯＭ１１２から読み出して、レベル変換部１２５へ出力する。これにより、画像処理部１０３では、モアレ抑制に適した空間周波数特性の画像処理が行われることになる。したがって、以降のステップのＡＦ制御でフォーカスレンズ２ａが合焦レンズ位置ＦＰをまたいで駆動されても擬輪郭がライブビューにおいて目立つことがない。なお、動画撮影サブルーチンにおいては、静止画撮影サブルーチンと異なり、サブルーチンの終了までモアレ抑制に適した画像処理が継続される。したがって、ライブビュー画像のみならず、メモリカード１０５に記録される画像にもモアレ抑制に適した画像処理が施されることになる。これは、動画においては、記録容量の制約や一定のフレームレートで略リアルタイムで画像処理を行う必要があることから、記録画像も低解像度となっており、ＡＦ制御時の擬輪郭の発生が問題となるからである。
【００８２】
ステップＳ４０１に続くステップＳ４０２では、先述したワンショットＡＦ制御が実行され、次のステップＳ４０３へ移行する。なお、先述した静止画撮影サブルーチンのＡＦ制御は、１回の撮影に１回のワンショットＡＦ制御が行われていただけであるが、動画撮影サブルーチンにおいては、ステップＳ４０２でワンショットＡＦ制御が行われたのちも、ワンショットＡＦ制御とは異なるＡＦ制御が継続的に行われる。これは、被写体の移動等で合焦状態が変化することがありうることに配慮したものである。
【００８３】
ステップＳ４０３では、シャッタボタン５がＳ２ＯＮ状態になったことの検出が全体制御部１１０において行われる。シャッタボタン５がＳ２ＯＮ状態になったことが検出された場合、次のステップＳ４０４が実行される。シャッタボタン５がＳ２ＯＮ状態になったことが検出されない場合、ステップＳ４０２へ移行する。
【００８４】
ステップＳ４０４では、合焦判定が行われる。具体的には、ＡＦ制御部１１４が、ＣＣＤ４によって取得された画像データからコントラスト値Ｃを算出し、ＲＡＭ１１３に格納されているコントラスト値との大小関係を比較する。算出されたコントラスト値Ｃが、ＲＡＭ１１３に格納されているコントラスト値から決定される閾値より大きければ、ＡＦ制御部１１４は合焦と判定する。小さい場合、非合焦と判定する。ＲＡＭ１１３に格納されているコントラスト値はワンショットＡＦ制御の合焦時のコントラスト値であるので、ワンショットＡＦ制御によって実現された合焦状態と同等の合焦状態がステップＳ４０４の実行時点で実現できていれば、ＡＦ制御部１１４は合焦と判定することになる。一方、被写体の移動等の理由によりワンショットＡＦ制御時よりもコントラスト値Ｃが低下していれば非合焦と判定することになる。ステップＳ４０４でＡＦ制御部１１４が合焦と判定した場合、動作フローはステップＳ４０５〜Ｓ４０７を実行せずにステップＳ４０８へ移行する。非合焦と判定した場合、ステップＳ４０５へ移行する。
【００８５】
ステップＳ４０５では、駆動方向ＤＤへフォーカスレンズ２ａがピッチｐ２で駆動される。そして、ステップＳ４０６へ移行する。
【００８６】
ステップＳ４０６では、駆動によるコントラスト値Ｃの変化がＡＦ制御部１１４によって算出され、駆動によってコントラスト値Ｃが増加した場合はステップＳ４０８へ、減少した場合はステップＳ４０７へ移行する。
【００８７】
ステップＳ４０７では、駆動方向ＤＤの反転が行われる。これにより、次にステップＳ４０５が実行されるときには、フォーカスレンズ２ａの駆動方向はコントラスト値Ｃが増加する駆動方向となる。
【００８８】
以上のステップＳ４０４〜Ｓ４０７が繰り返されることにより、フォーカスレンズ２ａは合焦を維持できている間は停止しているとともに、非合焦状態となるとコントラスト値が増加する方向へ駆動されることになる。また、このようなＡＦ制御により、フォーカスレンズ２ａが合焦レンズ位置ＦＰをまたいで駆動される場合もあるので、画像処理部１０３がモアレ抑制に適した画像処理を行っていなければ、ライブビュー画像および記録画像では擬輪郭が発生することになる。しかし、デジタルカメラ１Ａでは、ステップＳ４０１で画像処理部１０３にモアレ抑制に適した空間周波数特性の画像処理を実行させているので、このようなフォーカスレンズ２ａ駆動を行ってもライブビュー画像および記録画像で擬輪郭が発生することがない。
【００８９】
ステップＳ４０８では、ＣＣＤ４のシャッタスピードすなわち露光時間が設定される。設定された露光時間は次のフレームから有効になる。
【００９０】
ステップＳ４０８に続くステップＳ４０９では、ＣＣＤ４において露光すなわち電荷蓄積が行われ、動作フローが次のステップＳ４１０へ移行する。
【００９１】
ステップＳ４１０では、読み出し部１０１がＣＣＤ４に蓄積された電荷を読み出す。動画撮影モードでは、読み出し部１０１の読み出しモードは、間引き読み出しモードであるので、横１６００×縦３００画素の画像データが読み出されることになる。なお、ここで読み出される電荷は、１つまえのフレームの露光でＣＣＤ４に蓄積された電荷である。
【００９２】
ステップＳ４１０に続くステップＳ４１１では、ステップＳ４１０で読み出された画像データが、Ａ／Ｄ変換部１０２でデジタル画像データに変換され、画像処理部１０３で画像処理が施される。ここで、画像処理部１０３では、ステップＳ４０１により、モアレ抑制に適した空間周波数特性の画像処理が行われているので、擬輪郭の発生が目立たない処理画像が画像処理部１０３から出力される。なお、動画撮影モードにおいては、間引き部１２１で横方向の１／４の間引きが実行されるので、出力される処理画像は横４００×縦３００画素の低解像度の画像データとなる。
【００９３】
ステップＳ４１１に続くステップＳ４１２では、画像データがビデオメモリ１０４へ一時的に格納される。そして、次のステップＳ４１３では、シャッタボタン５の状態が全体制御部１１０において検出される。シャッタボタン５がＳ２ＯＮ状態であれば再びステップＳ４０４へ戻って動画撮影サブルーチンが継続される。一方、Ｓ２ＯＮ状態が解除されていると、次のステップＳ４１４へ移行する。
【００９４】
ステップＳ４１４では、ビデオメモリ１０４に格納された画像データがメモリカード１０５へ転送され、動画撮影サブルーチンは終了する。
【００９５】
以上の動画撮影サブルーチンにより、デジタルカメラ１Ａは、低解像度のライブビュー画像および記録画像においてＡＦ制御時に擬輪郭が発生することを防止可能である。したがって、フレーミングのためにライブビューを参照している撮影者や記録された動画の閲覧者に違和感を与えることを防止可能である。
【００９６】
＜第２実施形態＞
第２実施形態のデジタルカメラ１Ｂは、第１実施形態のデジタルカメラ１Ａと類似の構成を有している。そこで、以下のデジタルカメラ１Ｂの説明では、デジタルカメラ１Ａとの相違点を説明し、同等の構成および同等の動作の重複説明は省略する。なお、以下の説明では、デジタルカメラ１Ａと同等の構成には、デジタルカメラ１Ａの説明で使用した参照番号と同じ参照番号を使用する。
【００９７】
＜画像処理部１０３の機能構成＞
デジタルカメラ１Ｂは、画像処理部１０３の機能構成がデジタルカメラ１Ａとは異なっている。そこで、デジタルカメラ１Ｂの画像処理部１０３の機能構成を、図１７の機能ブロック図を参照しながら以下で説明する。
【００９８】
デジタルカメラ１Ｂの画像処理部１０３には、デジタルカメラ１Ａの微分器１２３に代わって、ハイパスフィルタ（ＨＰＦ；Ｈｉｇｈ  Ｐａｓｓ  Ｆｉｌｔｅｒ）１３１が設けられている。デジタルカメラ１Ａの微分器１２３は空間フィルタ処理で画像データの輪郭部を抽出していたが、デジタルカメラ１ＢのＨＰＦ１３１は空間周波数領域のスペクトルフィルタ処理で画像データの輪郭部を抽出している点が微分器１２３と異なっている。より具体的には、ＨＰＦ１３１は、入力された画像データＩＭ３に離散的フーリエ変換を行って空間周波数領域のパワースペクトルを算出し、当該パワースペクトルの高周波成分を抽出した後に、フーリエ逆変換を行って画像データＩＭ４として出力する。このようなスペクトルフィルタ処理により、画像データＩＭ４は、デジタルカメラ１Ａの場合と同様に、画像データＩＭ３の輪郭部を抽出したものとなる。
【００９９】
デジタルカメラ１Ｂのこのような構成によっても、デジタルカメラ１Ａと同様に、静止画撮影モードのライブビュー表示においてＡＦ制御時に擬輪郭が発生することを防止可能である。したがって、フレーミングのためにライブビューを参照している撮影者に違和感を与えることを防止可能である。また、動画再生モードのライブビュー画像および記録画像においてＡＦ制御時に擬輪郭が発生することを防止可能である。したがって、フレーミングのためにライブビューを参照している撮影者や記録された動画の閲覧者に違和感を与えることを防止可能である。
【０１００】
＜第３実施形態＞
第３実施形態のデジタルカメラ１Ｃは、第２実施形態のデジタルカメラ１Ｂと類似の構成を有している。そこで、以下のデジタルカメラ１Ｃの説明では、デジタルカメラ１Ｂとの相違点を説明し、同等の構成および同等の動作の重複説明は省略する。なお、以下の説明では、デジタルカメラ１Ａ，１Ｂと同等の構成には、デジタルカメラ１Ａ，１Ｂの説明で使用した参照番号と同じ参照番号を使用する。
【０１０１】
＜画像処理部１０３の機能構成＞
デジタルカメラ１Ｃは、画像処理部１０３の機能構成、および、モアレ制御部１１６から画像処理部１０３へ入力される情報が、デジタルカメラ１Ｂとは異なっている。そこで、デジタルカメラ１Ｃの画像処理部１０３の機能構成、および、モアレ制御部１１６から画像処理部１０３へ入力される情報について、図１８の機能ブロック図を参照しながら以下で説明する。
【０１０２】
デジタルカメラ１Ｃの画像処理部１０３には、デジタルカメラ１Ｂの各構成に加えて、ローパスフィルタ（ＬＰＦ；Ｌｏｗ  Ｐａｓｓ  Ｆｉｌｔｅｒ）１４１と、切り替え器１４２および１４３とが設けられている。そして、デジタルカメラ１Ｃのレベル変換部１２５では、デジタルカメラ１Ａ，１Ｂとは異なり、輪郭強調用のレベル変換テーブルＴＡ１のみが使用される。また、デジタルカメラ１Ｃの画像処理部１０３では、切り替え器１４２および１４３の切り替え信号がモアレ制御部１１６から入力される。
【０１０３】
ＬＰＦ１４１は、入力された画像データＩＭ３に離散的フーリエ変換を行って空間周波数領域のパワースペクトルを算出し、当該パワースペクトルの低周波成分を抽出した後に、フーリエ逆変換を行って画像データＩＭ６として出力する。このようなスペクトルフィルタ処理により、画像データＩＭ６は、画像データＩＭ３の概略形状を抽出したものとなる。換言すれば、ＬＰＦ１４１は、ＨＰＦ１３１とは逆に、画像データＩＭ３の輪郭部を除去する機能を有する。したがって、読み出し部１０１および間引き部１２１における間引きによって低下させられたナイキスト限界周波数よりＬＰＦ１４３の遮断周波数を低く設定すれば、ＬＰＦ１４１の画像処理により擬輪郭を含む空間周波数の高周波成分を除去可能であり、低解像度画像における擬輪郭を抑制可能である。
【０１０４】
切り替え器１４２は、補間部１２２から出力される画像データＩＭ３の出力先を、デジタルカメラ１Ｂと同様の出力先ＯＵＴ１（加算器１２４およびＨＰＦ１３１）と、出力先ＯＵＴ２（ＬＰＦ１４１）との間で切り替え可能である。また、切り替え器１４３は、画像処理部１０３から出力される画像データＩＭ６の出力元を、デジタルカメラ１Ｂと同様の出力元ＯＵＴ３（加算器１２４）と、出力元ＯＵＴ４（ＬＰＦ１４１）との間で切り替え可能である。そして、モアレ抑制部１１６から切り替え信号として輪郭強調信号が入力された場合、切り替え器１４２の出力先は出力先ＯＵＴ１となり、切り替え器１４３の出力元は出力元ＯＵＴ３となる。一方、モアレ抑制部１１６から切り替え信号としてモアレ抑制信号が入力された場合、切り替え器１４２の出力先は出力先ＯＵＴ２となり、切り替え器１４３の出力元は出力元ＯＵＴ４となる。これにより、モアレ抑制部１１６から輪郭強調信号が入力された場合、画像データＩＭ３は、画像処理部１０３でデジタルカメラ１Ｂと同様の輪郭強調に適した空間周波数特性の画像処理を施されて画像データＩＭ６として出力される。一方、モアレ抑制部１１６からモアレ抑制信号が入力された場合、画像データＩＭ３は、画像処理部１０３でＬＰＦ１４１による擬輪郭抑制に適した空間周波数特性（高周波成分の抑制）の画像処理を施されて画像データＩＭ６として出力される。
【０１０５】
なお、デジタルカメラ１Ｃにおいて、モアレ制御部１１６から輪郭強調信号およびモアレ抑制信号が入力されるタイミングは、それぞれ、デジタルカメラ１Ａにおいて、モアレ制御部１１６から輪郭強調用レベル変換テーブルＴＡ１およびモアレ抑制用レベル変換テーブルＴＡ２が入力されるタイミングと同じである。
【０１０６】
デジタルカメラ１Ｃのこのような構成によって、低解像度の画像データには、ＡＦ制御時に、単に輪郭強調を抑制するのみならず、輪郭部を弱める空間周波数特性の画像処理（いわゆる「ボカシ」）が施される。換言すれば、デジタルカメラ１Ａおよび１Ｂは、擬輪郭の原因となる高周波成分を元画像から増加させないパッシブな擬輪郭抑制方法を使用しているのに対して、デジタルカメラ１Ｃは擬輪郭の原因となる高周波成分を元画像から減少させるアクティブな擬輪郭抑制方法を使用している。このようなパッシブな方法とアクティブな方法との使い分けは、要求される擬輪郭の抑制レベルに応じて適宜選択することができる。つまり、要求される擬輪郭の抑制レベルが比較的低い場合は、デジタルカメラ１Ａ，１Ｂのようなパッシブな方法を選択するのが望ましく、擬輪郭の抑制を強力に行う必要がある場合は、デジタルカメラ１Ｃのようなアクティブな方法を選択することが望ましい。
【０１０７】
デジタルカメラ１Ｃのこのような構成によっても、デジタルカメラ１Ａと同様に、静止画撮影モードのライブビュー表示においてＡＦ制御時に擬輪郭が発生することを防止可能である。したがって、フレーミングのためにライブビューを参照している撮影者に違和感を与えることを防止可能である。また、動画再生モードのライブビュー画像および記録画像においてＡＦ制御時に擬輪郭が発生することを防止可能である。したがって、フレーミングのためにライブビューを参照している撮影者や記録された動画の閲覧者に違和感を与えることを防止可能である。
【０１０８】
＜第４実施形態＞
第４実施形態のデジタルカメラ１Ｄは、第１実施形態のデジタルカメラ１Ａと類似の構成を有している。そこで、以下のデジタルカメラ１Ｂの説明では、図１９のフローチャートを参照しながらデジタルカメラ１Ａとの相違点を説明し、同等の構成および同等の動作の重複説明は省略する。なお、以下の説明では、デジタルカメラ１Ａと同等の構成には、デジタルカメラ１Ａの説明で使用した参照番号と同じ参照番号を使用する。
【０１０９】
＜静止画撮影サブルーチン＞
デジタルカメラ１Ａとデジタルカメラ１Ｄとでは、ＲＯＭ１１２に格納されているプログラムが異なっており、静止画撮影時のＡＦ制御の方法が異なっている。より具体的には、デジタルカメラ１Ｄにおいては、ワンショットＡＦ制御により合焦が実現した後も、本撮影が開始されるまでＡＦ制御が継続され合焦状態が維持される。すなわち、コンティニュアスＡＦ制御が行われる。以下では、このようなＡＦ制御の具体的内容を図１９のフローチャートを参照しながら説明する。
【０１１０】
デジタルカメラ１Ｄの静止画撮影サブルーチンの最初の２ステップＳ５０１〜Ｓ５０２では、デジタルカメラ１Ａの静止画撮影サブルーチンのステップＳ３０１〜Ｓ３０２（図１５）と同様に、モアレ抑制用レベル変換テーブルの出力とワンショットＡＦ制御が実行される。
【０１１１】
続くステップＳ５０３では、合焦判定が行われる。具体的には、ＡＦ制御部１１４が、ＣＣＤ４によって取得された画像データからコントラスト値Ｃを算出し、ＲＡＭ１１３に格納されているコントラスト値との大小関係を比較する。算出されたコントラスト値Ｃが、ＲＡＭ１１３に格納されているコントラスト値から決定される閾値より大きければ、ＡＦ制御部１１４は合焦と判定する。小さい場合、非合焦と判定する。ＲＡＭ１１３に格納されているコントラスト値はワンショットＡＦ制御の合焦時のコントラスト値であるので、ワンショットＡＦ制御によって実現された合焦状態と同等の合焦状態がステップＳ５０３の実行時点で実現できていれば、ＡＦ制御部１１４は合焦と判定することになる。一方、被写体の移動等の理由によりワンショットＡＦ制御時よりもコントラスト値Ｃが低下していれば非合焦と判定することになる。ステップＳ５０３でＡＦ制御部１１４が合焦と判定した場合、動作フローはステップＳ５０７へ移行する。非合焦と判定した場合、ステップＳ５０４へ移行する。
【０１１２】
ステップＳ５０４では、駆動方向ＤＤへフォーカスレンズ２ａがピッチｐ２で駆動される。そして、ステップＳ５０５へ移行する。
【０１１３】
ステップＳ５０５では、駆動によるコントラスト値Ｃの変化がＡＦ制御部１１４によって算出され、駆動によってコントラスト値Ｃが増加した場合はステップＳ５０３へ、減少した場合はステップＳ５０６へ移行する。
【０１１４】
ステップＳ５０６では、駆動方向ＤＤの反転が行われる。これにより、次にステップＳ５０４が実行されるときには、フォーカスレンズ２ａの駆動方向はコントラスト値Ｃが増加する駆動方向となる。
【０１１５】
続くステップＳ５０７では、シャッタボタン５がＳ２ＯＮ状態になったことの検出が全体制御部１１０において行われる。シャッタボタン５がＳ２ＯＮ状態になったことが検出された場合、次のステップＳ５０８が実行される。シャッタボタンがＳ２ＯＮ状態になったことが検出されない場合、ステップＳ５０３がへ戻る。
【０１１６】
ステップＳ５０８では、モアレ制御部１１６が、輪郭強調用のレベル変換テーブルＴＡ１をＲＯＭ１１２から読み出して、レベル変換部１２５へ出力する。これにより、画像処理部１０３では輪郭強調に適した画像処理が行われることになる。
【０１１７】
ステップＳ５０８に続くステップＳ５０９〜Ｓ５１４は、デジタルカメラ１Ａの静止画撮影サブルーチンのステップＳ３０５〜Ｓ３１０（図１５）に対応しており、同様の動作を実行する。
【０１１８】
デジタルカメラ１Ｄのこのような構成によっても、デジタルカメラ１Ａと同様に、静止画撮影モードのライブビュー表示においてＡＦ制御時に擬輪郭が発生することを防止可能である。したがって、フレーミングのためにライブビューを参照している撮影者に違和感を与えることを防止可能である。加えて、移動する被写体に対しても合焦を維持可能である。また、動画再生モードのライブビュー画像および記録画像においてＡＦ制御時に擬輪郭が発生することを防止可能である。したがって、フレーミングのためにライブビューを参照している撮影者や記録された動画の閲覧者に違和感を与えることを防止可能である。
【０１１９】
＜変形例＞
デジタルカメラ１Ｄにおいては、シャッタボタン５がＳ１ＯＮ状態になるのに応答して、ＡＦ制御が開始されたが、電源投入と同時に開始されるようにしてもよい（フルオートＡＦ制御）。
【０１２０】
また、デジタルカメラ１Ｃにおいては、擬輪郭抑制をＬＰＦ１４１によるスペクトルフィルタ処理で行ったが、平滑化を行う空間フィルタ処理によって行ってもよい。
【０１２１】
また、デジタルカメラ１Ａ〜１Ｄにおいては、撮像素子としてＣＣＤを用いたが、離散的な配列を持つエリアセンサ、例えばＣＭＯＳ撮像素子を用いたデジタルカメラにも実施の形態に係る技術を同様に適用可能である。
【０１２２】
なお、本発明の実施の形態は、以下の構成を備える発明を含んでいる。
【０１２３】
［１］  請求項１に記載の撮像装置において、
前記表示画像データは、前記記録画像データよりも解像度が低いことを特徴とする撮像装置。
【０１２４】
［１］の発明によれば、表示画像データの略リアルタイム表示が可能となるので、撮影者のフレーミングが容易になる。
【０１２５】
［２］  請求項１に記載の撮像装置において、
前記撮像手段が、
複数の光電変換セルが配列された撮像素子と、
前記光電変換セルから、前記画像データを構成する画素信号を読み出す読み出し手段と、
を備え、
前記撮像手段は、前記読み出し手段の読み出しモードを、
全ての光電変換セルから第１画素信号群を読み出す第１読み出しモードと、
所定の方法で間引きをした前記光電変換セルから第２画素信号群を読み出す第２読み出しモードと、
の間で切り替え可能であるとともに、
前記画像処理手段は、
前記第１画素信号群から構成される第１画像データに前記第１画像処理を施すとともに、
前記第２画素信号群から構成される第２画像データに前記第２画像処理を施すことを特徴とする撮像装置。
【０１２６】
［２］の発明によれば、第２画素信号群を撮像素子から高速に読み出し可能であるので、表示画像データの略リアルタイム表示が可能となる。これにより、撮影者のフレーミングが容易になる。
【０１２７】
［３］  ［２］に記載の撮像装置において、
前記光電変換セルが第１方向および第２方向に規則的に配列されており、
前記間引きが前記第１方向に対して行われるとともに、
所定の方法で前記第２方向の間引きを実行可能な間引き手段をさらに備え、
前記読み出し手段の読み出しモードが第２読み出しモードである場合には、前記間引き手段において前記第２方向の間引きが実行されることを特徴とする撮像装置。
【０１２８】
［４］  請求項１に記載の撮像装置において、
前記第２空間周波数特性は、前記第１空間周波数特性よりも、空間周波数の高周波成分の出力が抑制されていることを特徴とする撮像装置。
【０１２９】
［４］の発明によれば、表示画像の空間周波数の高周波成分が抑制されるので、表示画像での擬輪郭を抑制可能である。
【０１３０】
［５］  請求項１に記載の撮像装置において、
前記画像処理手段は、
前記画像データから、空間フィルタによってアパーチャ成分を抽出するアパーチャ成分抽出手段と、
前記アパーチャ成分のレベル変換を行うレベル変換手段と、
前記レベル変換手段によってレベル変換された前記アパーチャ成分を、前記画像データに加算する加算手段と、
を備え、
前記空間周波数特性の変更が、前記レベル変換手段の利得の変更によって行われることを特徴とする撮像装置。
【０１３１】
［６］  請求項１に記載の撮像装置において、
前記画像処理手段は、
前記画像データから、スペクトルフィルタによって閾値よりも空間周波数が高い高周波成分を抽出する高周波成分抽出手段と、
前記高周波成分のレベル変換を行うレベル変換手段と、
前記レベル変換手段によってレベル変換された前記高周波成分を、前記画像データに加算する加算手段と、
を備え、
前記空間周波数特性の変更が、前記レベル変換手段の利得の変更によって行われることを特徴とする撮像装置。
【０１３２】
［７］  ［５］に記載の撮像装置において、
前記第２画像処理においては、前記第１画像処理よりも、前記レベル変換の利得が抑制されていることを特徴とする撮像装置。
【０１３３】
［７］の発明によれば、表示画像での擬輪郭を抑制可能である。
【０１３４】
［８］  請求項１に記載の撮像装置において、
前記画像処理手段は、
空間フィルタによって前記画像データの平滑化を行う平滑化手段を備え、
前記第２画像処理において前記平滑化手段を使用することを特徴とする撮像装置。
【０１３５】
［８］の発明によれば、表示画像での擬輪郭を抑制可能である。
【０１３６】
［９］  請求項１に記載の撮像装置において、
前記画像処理手段は、
前記画像データから、スペクトルフィルタによって閾値よりも空間周波数が低い低周波成分を抽出する低周波成分抽出手段を備え、
前記第２画像処理において前記低周波成分抽出手段を使用することを特徴とする撮像装置。
【０１３７】
［９］の発明によれば、表示画像での擬輪郭を抑制可能である。
【０１３８】
［１０］  ［９］に記載の撮像装置において、
前記撮像手段は、
複数の光電変換セルが配列された撮像素子と、
前記光電変換セルから前記画像データを構成する画素信号を読み出す読み出し手段と、
を備え、
前記撮像装置は、前記読み出し手段の読み出しモードを、
全ての光電変換セルから第１画素信号群を読み出す第１読み出しモードと、
所定の方法で間引きをした光電変換セルから第２画素信号群を読み出す第２読み出しモードと
の間で切り替え可能であるとともに、
前記画像処理手段は、
前記第２画素信号群で構成された第２画像データに前記第２画像処理を施すとともに、
前記閾値が、前記間引きの間隔から特定されるナイキスト限界周波数より小さいことを特徴とする撮像装置。
【０１３９】
［１１］  請求項１に記載の撮像装置において、
前記記録画像が静止画像であることを特徴とする撮像装置。
【０１４０】
［１２］  撮像装置であって、
被写体を含む光像を取得する光学系と、
前記光像を離散的にサンプリングして画素信号を生成するエリアセンサと、
前記画素信号の集合から第１解像度の画像データを生成する第１解像度画像生成手段と、
前記画素信号の集合から第２解像度の画像データを生成する第２解像度画像生成手段と、
画像データの画像処理を行う画像処理手段と、
を備え、
前記第２解像度よりも前記第１解像度の方が高解像度であるとともに、
前記画像処理手段は、
前記の第１解像度の画像データを第１空間周波数特性で画像処理し、
前記の第２解像度の画像データを第２空間周波数特性で画像処理可能であることを特徴とする撮像装置。
【０１４１】
［１３］  請求項２に記載の撮像装置において、
前記オートフォーカス制御が終了した場合に、前記第２画像処理の空間周波数特性を、前記第２空間周波数特性から前記第１空間周波数特性へと切り替えることを特徴とする撮像装置。
【０１４２】
［１３］の発明により、オートフォーカス制御が終了後に輪郭強調度合いが上昇するので、合焦状態であることが撮影者にわかりやすくなる。
【０１４３】
［１４］  請求項１に記載の撮像装置において、
前記表示手段がファインダであり、
前記表示画像データが所定の時間間隔で更新されることを特徴とする撮像装置。
【０１４４】
［１５］  請求項５に記載の撮像装置において、
前記第２空間周波数特性は、前記第１空間周波数特性よりも、空間周波数の高周波成分の出力が抑制されていることを特徴とする撮像装置。
【０１４５】
［１６］  請求項５に記載の撮像装置において、
前記撮像手段が、
複数の光電変換セルが配列された撮像素子と、
前記光電変換セルから前記画像データを構成する画素信号を読み出す読み出し手段と、
を備え、
撮影モードが前記動画撮影モードである場合は、前記撮像手段は、所定の方法で間引きをした前記光電変換セルから前記画像データを構成する画素信号群を読み出すことを特徴とする撮像装置。
【０１４６】
【発明の効果】
請求項１ないし請求項４の発明によれば、表示画像と記録画像とで画像処理の空間周波数特性を変化させることができるので、表示画像と記録画像とにそれぞれ適切な画像処理を施すことが可能である。これにより、記録画像の解像度を損なわないで、表示画像での擬輪郭を抑制可能である。
【０１４７】
請求項２ないし請求項３の発明によれば、オートフォーカス制御中に合焦レンズ位置をまたぐようなフォーカスレンズ駆動が行われても表示画像に擬輪郭が発生しないので、撮影者に違和感を与えることを防止可能である。
【０１４８】
請求項５の発明によれば、動画撮影では静止画撮影と異なる画像処理が可能であるので、表示画像および記録画像の両方において擬輪郭を抑制可能である。これにより、撮影者や記録画像の閲覧者に違和感を与えることを防止可能である。
【図面の簡単な説明】
【図１】デジタルカメラ１Ａを斜め前方から見た斜視図である。
【図２】デジタルカメラ１Ａを後方から見た背面図である。
【図３】ベイヤー方式で配列された色フィルタアレイを説明する図である。
【図４】デジタルカメラ１Ａの概略機能ブロック図である。
【図５】読み出し部１０１における間引きを説明する図である。
【図６】画像処理部１０３の機能ブロック図である。
【図７】画像データＩＭ３の画素データの変化を概念的に示す図である。
【図８】画像データＩＭ４の画素データの変化を概念的に示す図である。
【図９】画像データＩＭ５の画素データの変化を概念的に示す図である。
【図１０】画像データＩＭ６の画素データの変化を概念的に示す図である。
【図１１】間引き部１２１における間引きを説明する図である。
【図１２】ワンショットＡＦ制御サブルーチンを説明するフローチャートである。
【図１３】レンズ位置Ｐとコントラスト値Ｃとの関係を示す図である。
【図１４】デジタルカメラ１Ａの全体動作を説明するフローチャートである。
【図１５】静止画撮影サブルーチンを説明するフローチャートである。
【図１６】動画撮影サブルーチンを説明するフローチャートである。
【図１７】画像処理部１０３の機能ブロック図である。
【図１８】画像処理部１０３の機能ブロック図である。
【図１９】静止画撮影サブルーチンを説明するフローチャートである。
【符号の説明】
１Ａ，１Ｂ，１Ｃ，１Ｄ  デジタルカメラ
ＩＭ１，ＩＭ２，ＩＭ３，ＩＭ４，ＩＭ５，ＩＭ６  画像データ
ＴＡ１，ＴＡ２  レベル変換テーブル
Ａ，Ａ’  位置
１４３  切り替え部
【図１】
2004328482.tif 000005
【図２】
2004328482.tif 000006
【図３】
2004328482.tif 000007
【図４】
2004328482.tif 000008
【図５】
2004328482.tif 000009
【図６】
2004328482.tif 000010
【図７】
2004328482.tif 000011
【図８】
2004328482.tif 000012
【図９】
2004328482.tif 000013
【図１０】
2004328482.tif 000014
【図１１】
2004328482.tif 000015
【図１２】
2004328482.tif 000016
【図１３】
2004328482.tif 000017
【図１４】
2004328482.tif 000018
【図１５】
2004328482.tif 000019
【図１６】
2004328482.tif 000020
【図１７】
2004328482.tif 000021
【図１８】
2004328482.tif 000022
【図１９】
2004328482.tif 000023